(57)【要約】【課題】リフレクタを備えたプロジェクタ型の灯具ユニットにおいて、その部品点数の削減および小型化を図る。【解決手段】発光素子１４を支持するヒートシンク２２と投影レンズ１２を支持するレンズホルダ２４とを備えた構成とした上で、リフレクタ１６がその左右２箇所においてレンズホルダ２４にカシメ固定されるとともに、ヒートシンク２２がその左右２箇所においてレンズホルダ２４にカシメ固定された構成とする。これにより灯具ユニット１０の部品点数を削減する。また、ネジ締め固定等に比して、必要な作業用スペースおよび固定構造自体の占有スペースが小さいカシメ固定の採用により、灯具ユニット１０の小型化を図る。【選択図】図４
2020184445.tif 000002
【特許請求の範囲】
【請求項１】
投影レンズと、この投影レンズよりもユニット後方側に配置された発光素子と、この発光素子からの出射光を上記投影レンズへ向けて反射させるリフレクタと、を備えた灯具ユニットにおいて、
上記発光素子を支持するヒートシンクと、上記投影レンズを支持するレンズホルダとを備えており、
上記リフレクタは、該リフレクタの左右２箇所において上記レンズホルダにカシメ固定されており、
上記ヒートシンクは、該ヒートシンクの左右２箇所において上記レンズホルダにカシメ固定されている、ことを特徴とする灯具ユニット。
【請求項２】
上記リフレクタのカシメ固定と上記ヒートシンクのカシメ固定とが、上記レンズホルダに対して上下両側から行われている、ことを特徴とする請求項１記載の灯具ユニット。
【請求項３】
上記レンズホルダが樹脂製部材で構成されており、
上記リフレクタのカシメ固定と上記ヒートシンクのカシメ固定とが、いずれも熱カシメによって行われている、ことを特徴とする請求項１または２記載の灯具ユニット。
【請求項４】
上記リフレクタのカシメ固定が上記ヒートシンクのカシメ固定よりもユニット後方側で行われている、ことを特徴とする請求項１〜３いずれか記載の灯具ユニット。
【請求項５】
上記ヒートシンクは、該ヒートシンクのカシメ固定位置よりもユニット前方側に位置する部位に、上記レンズホルダに当接する当接部を備えている、ことを特徴とする請求項１〜４いずれか記載の灯具ユニット。
【請求項６】
上記発光素子と上記投影レンズとの間に、上記リフレクタからの反射光の一部を遮光する遮光位置とこの遮光を解除する遮光解除位置とを採り得るように構成された可動シェードと、この可動シェードを上記遮光位置および遮光解除位置間において移動させるアクチュエータとが配置されており、
上記アクチュエータは、複数のフランジ部を備えており、
上記アクチュエータは、上記各フランジ部において上記ヒートシンクにカシメ固定されている、ことを特徴とする請求項１〜５いずれか記載の灯具ユニット。
【請求項７】
上記ヒートシンクは、上記複数のフランジ部が押し当てられる複数の第１平面部を備えており、
上記各第１平面部は、上記ヒートシンクにおいて上記発光素子を支持している光源支持領域を該光源支持領域と直交する方向へ向けて上記ヒートシンクの反対側の表面まで延長させた領域から外れた位置に形成されている、ことを特徴とする請求項６記載の灯具ユニット。
【請求項８】
上記ヒートシンクは、上記複数の第１平面部のうち少なくとも１つと対向する反対側の表面が、該第１平面部と平行に延びる第２平面部として形成されている、ことを特徴とする請求項６または７記載の灯具ユニット。
【発明の詳細な説明】
【技術分野】
【０００１】
本願発明は、リフレクタを備えたプロジェクタ型の灯具ユニットに関するものである。
【背景技術】
【０００２】
従来より、リフレクタで反射した発光素子からの出射光を投影レンズに入射させるように構成されたプロジェクタ型の灯具ユニットが知られている。また、このような灯具ユニットの構成として、発光素子を支持するヒートシンクと投影レンズを支持するレンズホルダとを備えたものも知られている。
【０００３】
「特許文献１」には、このような灯具ユニットの構成として、リフレクタがその左右２箇所においてレンズホルダにカシメ固定されるとともに、レンズホルダがその左右２箇所においてヒートシンクにネジ締め固定されたものが記載されている。
【先行技術文献】
【特許文献】
【０００４】
【特許文献１】特開２０１２−６４４９４号公報
【発明の概要】
【発明が解決しようとする課題】
【０００５】
上記従来の灯具ユニットにおいては、リフレクタが該リフレクタの左右２箇所においてレンズホルダにカシメ固定されているので、これをネジ締め等によって固定した場合に比して部品点数の削減を図ることが可能となる。しかしながら、灯具ユニットのコスト低減を図る上で、さらなる部品点数の削減を図ることが望まれる。
【０００６】
また、上記従来の灯具ユニットにおいては、レンズホルダが該レンズホルダの左右２箇所においてヒートシンクにネジ締め固定されているので、ネジ締め固定用の工具を移動させるための比較的大きな作業用スペースを確保する必要があり、このため灯具ユニットの小型化を図ることが容易でない。
【０００７】
本願発明は、このような事情に鑑みてなされたものであって、リフレクタを備えたプロジェクタ型の灯具ユニットにおいて、部品点数の削減および小型化を図ることができる灯具ユニットを提供することを目的とするものである。
【課題を解決するための手段】
【０００８】
本願発明は、リフレクタ、ヒートシンクおよびレンズホルダ相互間の固定構造に工夫を施すことにより、上記目的達成を図るようにしたものである。
【０００９】
すなわち、本願発明に係る灯具ユニットは、
投影レンズと、この投影レンズよりもユニット後方側に配置された発光素子と、この発光素子からの出射光を上記投影レンズへ向けて反射させるリフレクタと、を備えた灯具ユニットにおいて、
上記発光素子を支持するヒートシンクと、上記投影レンズを支持するレンズホルダとを備えており、
上記リフレクタは、該リフレクタの左右２箇所において上記レンズホルダにカシメ固定されており、
上記ヒートシンクは、該ヒートシンクの左右２箇所において上記レンズホルダにカシメ固定されている、ことを特徴とするものである。
【００１０】
上記「リフレクタのカシメ固定」は、該リフレクタの左右２箇所において行われていれば、そのカシメ固定の種類や具体的な位置は特に限定されるものではない。また、この「リフレクタのカシメ固定」は、該リフレクタを変形させることによって行われるものであってもよいし、レンズホルダを変形させることによって行われるものであってもよい。
【００１１】
上記「ヒートシンクのカシメ固定」は、該ヒートシンクの左右２箇所において行われていれば、そのカシメ固定の種類や具体的な位置は特に限定されるものではない。また、この「ヒートシンクのカシメ固定」は、該ヒートシンクを変形させることによって行われるものであってもよいし、レンズホルダを変形させることによって行われるものであってもよい。
【発明の効果】
【００１２】
本願発明に係る灯具ユニットは、リフレクタで反射した発光素子からの出射光を投影レンズに入射させるように構成された灯具ユニットとして、発光素子を支持するヒートシンクと投影レンズを支持するレンズホルダとを備えた構成となっているが、リフレクタはその左右２箇所においてレンズホルダにカシメ固定されており、ヒートシンクもその左右２箇所においてレンズホルダにカシメ固定されているので、灯具ユニットの部品点数を削減することができ、これにより灯具ユニットのコスト低減を図ることができる。
【００１３】
また、カシメ固定に必要な作業用スペースはネジ締め固定に必要な作業用スペースよりも小さいので、レンズホルダとヒートシンクとがネジ締め固定された従来の灯具ユニットに比して灯具ユニットの小型化を図ることができる。
【００１４】
さらに、カシメ固定はネジ締め固定よりも固定構造自体の占有スペースが小さいので、この点においても灯具ユニットの小型化を図ることができる。
【００１５】
このように本願発明によれば、リフレクタを備えたプロジェクタ型の灯具ユニットにおいて、その部品点数の削減および小型化を図ることができる。
【００１６】
上記構成において、さらに、リフレクタのカシメ固定とヒートシンクのカシメ固定とが、レンズホルダに対して上下両側から行われている構成とすれば、それぞれのカシメ固定を行うための作業用スペースを確保することが容易に可能となり、これにより灯具ユニットの一層の小型化を図ることができる。
【００１７】
上記構成において、さらに、レンズホルダを樹脂製部材で構成した上で、リフレクタのカシメ固定とヒートシンクのカシメ固定とがいずれも熱カシメによって行われている構成とすれば、カシメ固定の作業効率を高めることができる。
【００１８】
上記構成において、さらに、リフレクタのカシメ固定がヒートシンクのカシメ固定よりもユニット後方側で行われている構成とすれば、リフレクタを精度良く位置決めすることができ、これにより灯具ユニットの光学特性を高めることができる。
【００１９】
上記構成において、さらに、ヒートシンクとして、該ヒートシンクのカシメ固定位置よりもユニット前方側に位置する部位に、レンズホルダに当接する当接部を備えた構成とすれば、ヒートシンクによるレンズホルダの支持を３点支持構造によって行うことができ、これにより投影レンズの位置決め精度を高めることができる。したがって、ヒートシンクに支持された発光素子とレンズホルダに支持されたリフレクタおよび投影レンズとの位置関係精度を高めることができ、これにより灯具ユニットの光学特性を高めることができる。
【００２０】
上記構成において、さらに、発光素子と投影レンズとの間に、リフレクタからの反射光の一部を遮光する遮光位置とこの遮光を解除する遮光解除位置とを採り得るように構成された可動シェードと、この可動シェードを遮光位置および遮光解除位置間において移動させるアクチュエータとが配置された構成となっている場合には、アクチュエータとして複数のフランジ部を備えた構成とした上で各フランジ部においてヒートシンクにカシメ固定された構成とすれば、灯具ユニットの部品点数の一層の削減を図ることができる。
【００２１】
その際、ヒートシンクとして、複数のフランジ部が押し当てられる複数の第１平面部を備えた構成とした上で、これら各第１平面部が、ヒートシンクにおいて発光素子を支持している光源支持領域を該光源支持領域と直交する方向へ向けてヒートシンクの反対側の表面まで延長させた領域から外れた位置に形成された構成とすれば、次のような作用効果を得ることができる。
【００２２】
すなわち、カシメ固定用の治具として、カシメ固定時の押圧力をヒートシンクの光源支持領域から外れた位置において受ける構造とすることができるので、光源支持領域に無理な力が作用しないようにすることができ、これにより発光素子の位置精度が低下してしまわないようにすることができる。
【００２３】
またその際、ヒートシンクの構成として、複数の第１平面部のうち少なくとも１つと対向する反対側の表面が、該第１平面部と平行に延びる第２平面部として形成された構成とすれば、カシメ固定時の押圧力を第２平面部において効率良く受けるようにすることができる。
【図面の簡単な説明】
【００２４】
【図１】本願発明の一実施形態に係る灯具ユニットを備えた車両用灯具を示す側断面図
【図２】上記灯具ユニットを示す平面図
【図３】図１のIII 部詳細図
【図４】図３のIV方向矢視図
【図５】図４のＶ方向矢視図
【図６】図２のVI−VI線断面詳細図
【図７】図６に示す灯具構成要素を分解して示す、図６と同様の図
【図８】上記実施形態の第１変形例を示す、図１と同様の図
【図９】上記第１変形例に係る灯具ユニットの要部を斜め下前方から見て示す斜視図
【図１０】上記実施形態の第２変形例を示す、図９と同様の図
【発明を実施するための形態】
【００２５】
以下、図面を用いて、本願発明の実施の形態について説明する。
【００２６】
図１は、本願発明の一実施形態に係る灯具ユニット１０を備えた車両用灯具１００を示す側断面図である。また、図２は、灯具ユニット１０を示す平面図である。
【００２７】
これらの図において、Ｘで示す方向が「ユニット前方」であり、Ｙで示す方向が「ユニット前方」と直交する「左方向」（ユニット正面視では「右方向」）であり、Ｚで示す方向が「上方向」である。これら以外の図においても同様である。
【００２８】
車両用灯具１００は、車両の前端部に設けられるヘッドランプであって、ランプボディ１０２と透光カバー１０４とで形成される灯室内に、灯具ユニット１０がその前後方向（すなわちユニット前後方向）を車両前後方向と一致させるように光軸調整が行われた状態で収容された構成となっている。
【００２９】
灯具ユニット１０は、投影レンズ１２と、この投影レンズ１２の後側焦点Ｆよりもユニット後方側に配置された発光素子１４と、この発光素子１４を上方側から覆うように配置され、該発光素子１４からの出射光を投影レンズ１２へ向けて反射させるリフレクタ１６と、発光素子１４と投影レンズ１２との間に配置された可動シェード１８とを備えた構成となっている。
【００３０】
投影レンズ１２は、前面が凸面で後面が平面の平凸非球面レンズであって、ユニット前後方向に延びる光軸Ａｘを有している。そして、この投影レンズ１２は、その後側焦点Ｆを含む焦点面である後側焦点面上に形成される光源像を、反転像として灯具前方の仮想鉛直スクリーン上に投影するようになっている。
【００３１】
図３は、図１のIII 部詳細図である。また、図４は、図３のIV方向矢視図であり、図５は、図４のＶ方向矢視図である。なお、図４においては、リフレクタ１６を部分的に破断した状態で示している。
【００３２】
図３〜５にも示すように、発光素子１４は白色発光ダイオードであって、横長矩形状の発光面１４ａを有している。そして、この発光素子１４は、その発光面１４ａを光軸Ａｘの下方において上向きにした状態で、光源支持部材２０を介して金属製（例えばアルミダイカスト製）のヒートシンク２２に支持されている。
【００３３】
このヒートシンク２２の上面２２ａにおいて光源支持部材２０が支持されている光源支持領域２２ａ１は、その周辺領域に対して上方側に突出した状態で平面状に形成されている。この光源支持領域２２ａ１は、その周辺領域と共にユニット後方へ向けて下方側に傾斜した傾斜面で構成されており、これにより発光素子１４の発光面１４ａは斜め上後方を向いた状態で配置されている。
【００３４】
ヒートシンク２２の上面２２ａには、発光素子１４に電力を供給するための給電アタッチメント３０が取り付けられている（これについては後述する）。
【００３５】
リフレクタ１６は、その反射面１６ａが発光素子１４の発光中心を第１焦点とする略楕円面状の曲面で構成されている。この反射面１６ａは、その長軸に沿った鉛直断面形状が後側焦点Ｆのやや前方に位置する点を第２焦点とする楕円形状に設定されており、その離心率が鉛直断面から水平断面へ向けて徐々に大きくなるように設定されている。このリフレクタ１６は、その左右両側部においてレンズホルダ２４に支持されている（これについても後述する）。
【００３６】
投影レンズ１２は、樹脂製部材（例えばポリカーボネート樹脂製の部材あるいは９Ｔナイロン樹脂製の部材等）で構成されており、その外周フランジ部においてレンズホルダ２４に支持されている。
【００３７】
このレンズホルダ２４は、投影レンズ１２を支持するホルダ本体２４Ａと、このホルダ本体２４Ａの左右両側部からユニット後方へ延びるように形成された左右１対のアーム部２４Ｂと、これら左右１対のアーム部２４Ｂの後端部を連結する連結部２４Ｃとを備えている。その際、左右１対のアーム部２４Ｂは、その後端部において光軸Ａｘ側に折れ曲がるように形成されており、また、連結部２４Ｃは、リフレクタ１６を略円弧状に囲むように形成されている。そして、このレンズホルダ２４は、その左右１対のアーム部２４Ｂの後端部近傍部位においてヒートシンク２２に支持されている（これについても後述する）。
【００３８】
図１に示すように、可動シェード１８は、光軸Ａｘの下方において左右方向に延びる回動ピン２６を介してヒートシンク２２に回動可能に支持されている。この可動シェード１８は、その前端部からユニット後方へ向けて斜め上方へ延びるように形成されており、その上端縁１８ａは左右段違いで水平方向に延びるように形成されている。
【００３９】
そして、この可動シェード１８は、ヒートシンク２２に支持されたアクチュエータ２８の駆動により、投影レンズ１２へ向かうリフレクタ１６からの反射光の一部を遮光する遮光位置（図１において実線で示す位置）と、この遮光位置から下方側へ所定角度回動して上記遮光を解除する遮光解除位置（図１において２点鎖線で示す位置）とを採り得るようになっている。
【００４０】
アクチュエータ２８は、アクチュエータ本体２８Ａと、このアクチュエータ本体２８Ａを覆うようにして該アクチュエータ本体２８Ａを支持する金属製の本体支持部材２８Ｂとを備えており、本体支持部材２８Ｂには前後１対のフランジ部２８Ｂａが形成されている。そして、このアクチュエータ２８は、各フランジ部２８Ｂａにおいてネジ４２の締付けによりヒートシンク２２に固定されている。
【００４１】
このアクチュエータ２８は、図示しないビーム切換えスイッチの操作が行われたときに駆動するようになっている。これにより灯具ユニット１０は、可動シェード１８が遮光位置にあるときロービーム照射を行い、可動シェード１８が遮光解除位置にあるときハイビーム照射を行うようになっている。
【００４２】
図４に示すように、発光素子１４を支持する光源支持部材２０は、平面視において横長矩形状の外形形状を有しており、その上面における発光素子１４の左右両側の位置には、発光素子１４のカソード電極およびアノード電極とそれぞれ電気的に接続された左右１対の端子部２０ａが配置されている。
【００４３】
給電アタッチメント３０は、光源支持部材２０を囲むように形成された絶縁部材３２に対して、発光素子１４との電気的導通を図るための左右１対のバスバー電極３４が、それぞれ一部を露出させた状態で埋設されたインサート成形品として構成されている。
【００４４】
絶縁部材３２は、平面視において横長矩形状の外形形状を有する板状部材であって、その左右方向の中心位置には横長矩形状の開口部３２ａが形成されている。
【００４５】
この絶縁部材３２は、その左右両側部から水平方向に突出する左右１対のフランジ部３２ｂを備えており、各フランジ部３２ｂにおいてネジ４０の締付けによりヒートシンク２２の上面２２ａに固定されている。その際、ヒートシンク２２の上面２２ａには左右１対の位置決めピン２２ｂが形成されており、絶縁部材３２の左右１対のフランジ部３２ｂには、左右１対の位置決めピン２２ｂと係合する係合孔３２ｃがそれぞれ形成されている。左右１対の係合孔３２ｃは、一方が円形状に形成されており、他方が横長矩形状に形成されている。
【００４６】
左右１対のバスバー電極３４は、開口部３２ａに突出する左右２対の端子片３４ａを備えており、これらが光源支持部材２０の左右１対の端子部２０ａに当接することによって発光ダイオード２２と電気的に接続されるようになっている。
【００４７】
また、左右１対のバスバー電極３４は、開口部３２ａに突出する前後２対の押え片３４ｂを備えており、これらが光源支持部材２０の上面に当接することによって発光ダイオード２２の位置決めを図るようになっている。
【００４８】
その際、各端子片３４ａおよび各押え片３４ｂは、光源支持部材２０を上方側から弾性的に押圧する弾性片として構成されている。
【００４９】
絶縁部材３２は、その後部からユニット後方へ向けて突出するコネクタ部３２ｄを備えている。
【００５０】
このコネクタ部３２ｄは、リフレクタ１６の後端位置よりもユニット後方側まで延びるように形成されており、ユニット後方へ向けて開口している。その際、このコネクタ部３２ｄは、絶縁部材３２とヒートシンク２２との左右２箇所の締結位置の中心位置（すなわち光軸Ａｘの真下の位置）に形成されている。また、このコネクタ部３２ｄは、リフレクタ１６の後端位置よりもユニット後方側において上下両側に張り出すように形成されている。
【００５１】
このコネクタ部３２ｄの上壁部には、ユニット前後方向に延びる矩形孔３２ｄ１が形成されており、また、このコネクタ部３２ｄの左右両側壁部には、矩形状の凹部３２ｄ２が形成されている。
【００５２】
このコネクタ部３２ｄの内部空間には、左右１対のバスバー電極３４の端子ピン３４ｃがユニット後方へ向けて突出している。左右１対の端子ピン３４ｃは、各々が板状に形成されており、かつ、その板面が鉛直方向に対してユニット後方側に傾斜した上下方向（すなわち左右１対の端子ピン３４ｃが並んでいる第１方向と直交する第２方向）を向くように配置されている。そして、このコネクタ部３２ｄの内部空間に給電用配線のコネクタ（図示せず）が挿入されて、その矩形孔３２ｄ１および左右１対の凹部３２ｄ２と嵌合することにより、給電アタッチメント３０と給電用配線とが電気的に接続されるようになっている。
【００５３】
ヒートシンク２２は、その後端位置がコネクタ部３２ｄの後端縁と略同じ位置となるように形成されている。また、このヒートシンク２２の後端部の上面２２ａ（すなわち給電アタッチメント３０が載置されている面）には、コネクタ部３２ｄの下端部の形状に沿った形状を有する凹部２２ａ２が形成されている。さらに、このヒートシンク２２の後部領域には、複数の放熱フィン２２ｅが下方へ向けて延びるようにして形成されている。
【００５４】
ヒートシンク２２においてレンズホルダ２４が取り付けられる部位は薄肉部２２ｆとして形成されており、その上面は上面２２ａの他の部位よりも上方側に突出した上方突出面２２ａ３として形成されている。
【００５５】
一方、レンズホルダ２４における左右１対のアーム部２４Ｂの後端部近傍部位には、各ヒートシンク２２の左右１対の上方突出面２２ａ３に載置されるための左右１対のフランジ部２４Ｄが形成されている。各フランジ部２４Ｄは、ユニット後方へ向けて下方側に傾斜して延びるようにして平板状に形成されており、その傾斜角度はヒートシンク２２の上面２２ａ（左右１対の上方突出面２２ａ３を含む）の傾斜角度と同じ値に設定されている。そして、このレンズホルダ２４は、各フランジ部２４Ｄにおいてヒートシンク２２にカシメ固定されている。
【００５６】
リフレクタ１６は、その左右両側部の下端位置から水平方向に平板状に突出する左右１対のフランジ部１６ｂを備えており、各フランジ部１６ｂにおいてレンズホルダ２４の各フランジ部２４Ｄに載置されている。そして、このリフレクタ１６は、各フランジ部１６ｂにおいてレンズホルダ２４にカシメ固定されている。
【００５７】
図６は、図２のVI−VI線断面詳細図であって、リフレクタ１６のレンズホルダ２４への取付構造およびレンズホルダ２４のヒートシンク２２への取付構造を示す図である。また、図７は、リフレクタ１６、レンズホルダ２４およびヒートシンク２２を分解して示す、図６と同様の図である。
【００５８】
図６および７に示すように、レンズホルダ２４における各フランジ部２４Ｄの上面には、その面直方向に突出する円柱状のカシメピン２４Ｄａおよび位置決めピン２４Ｄｂが形成されている。その際、カシメピン２４Ｄａは、フランジ２４Ｄの後端近傍領域において位置決めピン２４Ｄｂよりも大径で形成されており、位置決めピン２４Ｄｂは、カシメピン２４Ｄａに対してユニット前方側に近接した位置に形成されている。
【００５９】
一方、リフレクタ１６の各フランジ部１６ｂには、カシメピン２４Ｄａと係合する係合孔１６ｃと、位置決めピン２４Ｄｂと係合する係合孔１６ｄとが形成されている。その際、図４に示すように、左右１対の係合孔１６ｃは、一方が円形状に形成されており、他方が横長長円形に形成されている。また、左右１対の係合孔１６ｄも、一方が円形状に形成されており、他方が横長長円形に形成されている。
【００６０】
そして、図７に示すように、カシメピン２４Ｄａおよび位置決めピン２４Ｄｂを係合孔１６ｃ、１６ｄにそれぞれ挿通させて、リフレクタ１６のフランジ部１６ｂをレンズホルダ２４のフランジ部２４Ｄの上面に載置した状態で、図６に示すように、カシメピン２４Ｄａの先端部を潰してフランジ部１６ｂの上面において係合孔１６ｃの周囲に拡げることにより、リフレクタ１６とレンズホルダ２４とのカシメ固定が行われるようになっている。このカシメ固定は熱カシメによって行われている。
【００６１】
また、図６および７に示すように、レンズホルダ２４における各フランジ部２４Ｄの下面には、その面直方向に突出する円柱状のカシメピン２４Ｄｃおよび位置決めピン２４Ｄｄが形成されている。その際、カシメピン２４Ｄｃは、フランジ２４Ｄの前端近傍領域において位置決めピン２４Ｄｄよりも大径で形成されており、位置決めピン２４Ｄｄは、カシメピン２４Ｄｃに対してユニット後方側に近接した位置に形成されている。
【００６２】
図４に示すように、カシメピン２４Ｄｃおよび位置決めピン２４Ｄｄは、カシメピン２４Ｄａおよび位置決めピン２４Ｄｂよりも左右方向に関して外側に変位した状態で形成されている。
【００６３】
一方、ヒートシンク２２の各薄肉部２２ｆには、カシメピン２４Ｄｃと係合する係合孔２２ｃと、位置決めピン２４Ｄｄと係合する係合孔２２ｄとが形成されている。その際、図４に示すように、左右１対の係合孔２２ｃは、一方が円形状に形成されており、他方が横長長円形に形成されている。また、左右１対の係合孔２２ｄも、一方が円形状に形成されており、他方が横長長円形に形成されている。
【００６４】
そして、図７に示すように、カシメピン２４Ｄｃおよび位置決めピン２４Ｄｄを係合孔２２ｃ、２２ｄにそれぞれ挿通させて、レンズホルダ２４のフランジ部２４Ｄをヒートシンク２２の上方突出面２２ａ３に載置した状態で、図６に示すように、カシメピン２４Ｄｃの先端部を潰して薄肉部２２ｆの下面において係合孔２２ｃの周囲に拡げることにより、レンズホルダ２４とヒートシンク２２とのカシメ固定が行われるようになっている。このカシメ固定も熱カシメによって行われている。
【００６５】
図４および５に示すように、リフレクタ１６には、ヒートシンク２２に対する左右２箇所の締結位置よりもユニット後方側に位置する部位に、ヒートシンク２２に当接する当接部１６ｅが形成されている。この当接部１６ｅは、ヒートシンク２２の凹部２２ａ２の左側近傍位置において、リフレクタ１６の下端部からユニット後方へ延びた後に下方へ向けて延びる突起部として形成されており、ヒートシンク２２の上面２２ａに当接するように構成されている。
【００６６】
また、図２および６に示すように、ヒートシンク２２は、左右１対の上方突出面２２ａ３よりもユニット前方側において水平面に沿って延びる左右１対の前部水平面２２ａ４を備えている。そして、各前部水平面２２ａ４の前端部には、レンズホルダ２４に当接する当接部２２ｇが形成されている。これら左右１対の当接部２２ｇは、上方へ向けて延びる突起部として形成されており、レンズホルダ２４の左右１対のアーム部２４Ｂの下面に当接するように構成されている。
【００６７】
次に本実施形態の作用について説明する。
【００６８】
本実施形態に係る灯具ユニット１０は、リフレクタ１６で反射した発光素子１４からの出射光を投影レンズ１２に入射させるように構成された灯具ユニットとして、発光素子１４を支持するヒートシンク２２と投影レンズ１２を支持するレンズホルダ２４とを備えた構成となっているが、リフレクタ１６はその左右２箇所においてレンズホルダ２４にカシメ固定されており、ヒートシンク２２もその左右２箇所においてレンズホルダ２４にカシメ固定されているので、灯具ユニット１０の部品点数を削減することができ、これにより灯具ユニット１０のコスト低減を図ることができる。
【００６９】
また、カシメ固定に必要な作業用スペースはネジ締め固定に必要な作業用スペースよりも小さいので、レンズホルダ２４とヒートシンク２２とがネジ締め固定された従来の灯具ユニット１０に比して灯具ユニット１０の小型化を図ることができる。
【００７０】
さらに、カシメ固定はネジ締め固定よりも固定構造自体の占有スペースが小さいので、この点においても灯具ユニット１０の小型化を図ることができる。
【００７１】
このように本実施形態によれば、リフレクタ１６を備えたプロジェクタ型の灯具ユニット１０において、その部品点数の削減および小型化を図ることができる。
【００７２】
しかも本実施形態においては、リフレクタ１６のカシメ固定とヒートシンク２２のカシメ固定とが、レンズホルダ２４に対して上下両側から行われているので、それぞれのカシメ固定を行うための作業用スペースを確保することが容易に可能となり、これにより灯具ユニット１０の一層の小型化を図ることができる。
【００７３】
その際、本実施形態においては、レンズホルダ２４が樹脂製部材で構成されており、リフレクタ１６のカシメ固定とヒートシンク２２のカシメ固定とがいずれも熱カシメによって行われているので、カシメ固定の作業効率を高めることができる。
【００７４】
また、本実施形態のレンズホルダ２４には、リフレクタ１６のカシメ固定を行うためのカシメピン２４Ｄａの近傍に位置決めピン２４Ｄｂが形成されるとともに、ヒートシンク２２のカシメ固定を行うためのカシメピン２４Ｄｃの近傍に位置決めピン２４Ｄｄが形成されているので、レンズホルダ２４に対するリフレクタ１６およびヒートシンク２２の位置決め精度を高めることができる。
【００７５】
さらに本実施形態においては、ヒートシンク２２として、該ヒートシンク２２のカシメ固定位置よりもユニット前方側に位置する部位に、レンズホルダ２４に当接する当接部２２ｇを備えた構成となっているので、ヒートシンク２２によるレンズホルダ２４の支持を少なくとも３点支持構造によって行うことができ、これにより投影レンズ１２の位置決め精度を高めることができる。したがって、ヒートシンク２２に支持された発光素子１４とレンズホルダ２４に支持されたリフレクタ１６および投影レンズ１２との位置関係精度を高めることができ、これにより灯具ユニット１０の光学特性を高めることができる。
【００７６】
また本実施形態においては、リフレクタ１６のカシメ固定がヒートシンク２２のカシメ固定よりもユニット後方側で行われているので、リフレクタ１６を精度良く位置決めすることができ、これにより灯具ユニット１０の光学特性を高めることができる。
【００７７】
上記実施形態においては、レンズホルダ２４とヒートシンク２２とのカシメ固定位置がリフレクタ１６とレンズホルダ２４とのカシメ固定位置よりも左右方向に関して外側に変位しているものとして説明したが、左右方向に関して同じ位置あるいは内側に変位している構成とすることも可能である。
【００７８】
上記実施形態においては、リフレクタ１６のカシメ固定とヒートシンク２２のカシメ固定とがいずれも熱カシメによって行われているものとして説明したが、その一方または両方が冷間カシメによって行われる構成とすることも可能であり、その際、バーリングカシメ等を採用することも可能である。
【００７９】
上記実施形態においては、灯具ユニット１０が車載用の灯具ユニットであるものとして説明したが、車載用以外の用途に用いることも可能である。
【００８０】
次に、上記実施形態の変形例について説明する。
【００８１】
まず、上記実施形態の第１変形例について説明する。
【００８２】
図８は、本変形例に係る灯具ユニット１１０を備えた車両用灯具２００を示す、図１と同様の図である。また、図９は、灯具ユニット１１０の要部を斜め下前方から見て示す斜視図である。
【００８３】
図８および９に示すように、本変形例の基本的な構成は上記実施形態の場合と同様であるが、アクチュエータ２８の支持構造が上記実施形態の場合と一部異なっている。
【００８４】
すなわち本変形例においては、アクチュエータ２８がヒートシンク１２２に対してカシメ固定によって支持された構成となっている。
【００８５】
具体的には、図９に示すように、アクチュエータ２８の本体支持部材２８Ｂにおける前後１対のフランジ部２８Ｂａに形成された係合孔２８Ｂａ１に対して、ヒートシンク１２２に形成された前後１対の第１平面部１２２ｈから突出する前後１対のカシメピン１２２ｉを挿通させた状態でその先端部を潰すことにより、アクチュエータ２８の本体支持部材２８Ｂがヒートシンク１２２にカシメ固定された構成となっている。このカシメ固定は冷間カシメによって行われている。
【００８６】
また、ヒートシンク１２２の各第１平面部１２２ｈには、各カシメピン１２２ｉに近接した位置に位置決めピン１２２ｊが形成されており、各位置決めピン１２２ｊを各フランジ部２８Ｂａに形成された係合孔２８Ｂａ２に挿通させることによって、アクチュエータ２８をヒートシンク１２２に対して正確に位置決めするようになっている。
【００８７】
その際、前後１対の係合孔２８Ｂａ１は、一方が円形状に形成されており、他方が横長長円形に形成されている。また、前後１対の係合孔２８Ｂａ２も、一方が円形状に形成されており、他方が横長長円形に形成されている。
【００８８】
前後１対の第１平面部１２２ｈは、ユニット後方へ向けて下方側に傾斜した傾斜面に沿って互いに面一で延びるように形成されている。その際、各第１平面部１２２ｈは、ヒートシンク１２２の上面１２２ａにおける光源支持領域１２２ａ１およびその周辺領域と平行に延びるように形成されている。
【００８９】
これに伴い、アクチュエータ２８の本体支持部材２８Ｂも、前後１対のフランジ部２８Ｂａがユニット後方へ向けて下方側に傾斜した傾斜面に沿って延びるように形成されている。
【００９０】
前後１対の第１平面部１２２ｈは、光源支持領域１２２ａ１を該光源支持領域１２２ａ１と直交する方向へ向けてヒートシンク１２２の反対側の表面まで延長させた領域（すなわち図９において２点鎖線で示す前後２本の直線の内側に位置する領域）からユニット前方側に外れた位置に形成されている。
【００９１】
そして、ヒートシンク１２２は、ユニット後方側に位置する第１平面部１２２ｈと対向する反対側の表面が、光源支持領域１２２ａ１の周辺領域のうち光源支持領域１２２ａ１のユニット前方側に位置する領域を構成する第２平面部１２２ｋとして、第１平面部１２２ｈと平行に延びるように形成されている。
【００９２】
本変形例の構成を採用することにより、灯具ユニット１１０の部品点数の一層の削減を図ることができる。
【００９３】
また本変形例においては、可動シェード１８を遮光位置および遮光解除位置間において移動させるアクチュエータ２８として前後１対のフランジ部２８Ｂａを備えた構成となっており、各フランジ部２８Ｂａにおいてヒートシンク１２２にカシメ固定されているので、灯具ユニット１１０の部品点数の一層の削減を図ることができる。
【００９４】
しかも本変形例においては、前後１対のフランジ部２８Ｂａがカシメ固定される前後１対の第１平面部１２２ｈが、ヒートシンク１２２の光源支持領域１２２ａ１を該光源支持領域１２２ａ１と直交する方向へ向けてヒートシンク１２２の反対側の表面まで延長させた領域から外れた位置に形成されているので、次のような作用効果を得ることができる。
【００９５】
すなわち、カシメ固定用の治具として、カシメ固定時の押圧力を光源支持領域１２２ａ１から外れた位置において受ける構造とすることができるので、光源支持領域１２２ａ１に無理な力が作用しないようにすることができ、これにより発光素子１４の位置精度が低下してしまわないようにすることができる。
【００９６】
しかも、ヒートシンク１２２は、ユニット後方側に位置する第１平面部１２２ｈと対向する反対側の表面が、該第１平面部１２２ｈと平行に延びる第２平面部１２２ｋとして形成されているので、カシメ固定時の押圧力を第２平面部１２２ｋにおいて効率良く受けるようにすることができる。
【００９７】
次に、上記実施形態の第２変形例について説明する。
【００９８】
図１０は、本変形例に係る灯具ユニット２１０の要部を示す、図９と同様の図である。
【００９９】
図１０に示すように、本変形例の基本的な構成は上記第１変形例の場合と同様であるが、アクチュエータ２８のヒートシンク２２２に対するカシメ固定位置が上記第１変形例の場合と異なっている。
【０１００】
すなわち本変形例においても、アクチュエータ２８は、前後１対のフランジ部２８Ｂａにおいてヒートシンク２２２にカシメ固定されており、このカシメ固定は冷間カシメによって行われている。
【０１０１】
具体的には、アクチュエータ２８の本体支持部材２８Ｂにおける前後１対のフランジ部２８Ｂａに形成された係合孔２８Ｂａ１に対して、ヒートシンク２２２に形成された前後１対の第１平面部２２２ｈから突出する前後１対のカシメピン２２２ｉを挿通させた状態でその先端部を潰すことにより、アクチュエータ２８の本体支持部材２８Ｂがヒートシンク２２２にカシメ固定されている。
【０１０２】
また、ヒートシンク２２２の各第１平面部２２２ｈには、各カシメピン２２２ｉに近接した位置に位置決めピン２２２ｊが形成されており、各位置決めピン２２２ｊを各フランジ部２８Ｂａに形成された係合孔２８Ｂａ２に挿通させることによって、アクチュエータ２８をヒートシンク２２２に対して正確に位置決めするようになっている。
【０１０３】
前後１対の第１平面部２２２ｈは、ユニット後方へ向けて下方側に傾斜した傾斜面に沿って互いに面一で形成されている。一方、ヒートシンク２２２の上面２２２ａにおける光源支持領域２２２ａ１の周辺領域は、光源支持領域２２２ａ１の前後両側に位置する領域が、前後１対の第１平面部２２２ｈと対向する前後１対の第２平面部２２２ｋとして形成されている。その際、前後１対の第１平面部２２２ｈと前後１対の第２平面部２２２ｋとが互いに平行に延びるように形成されている。
【０１０４】
本変形例の構成を採用した場合においても、カシメ固定用の治具として、カシメ固定時の押圧力を光源支持領域１２２ａ１から外れた位置（すなわち図１０において２点鎖線で示す前後２本の直線よりも外側の位置）において受ける構造とすることができるので、光源支持領域１２２ａ１に無理な力が作用しないようにすることができ、これにより発光素子１４の位置精度が低下してしまわないようにすることができる。
【０１０５】
特に本変形例のヒートシンク２２２は、前後１対の第１平面部２２２ｈと前後１対の第２平面部２２２ｋとが互いに対向する位置において平行に延びるように形成されているので、カシメ固定用の治具によってカシメ固定時の押圧力を一層効率良く受けるようにすることが可能となる。したがって、光源支持領域２２２ａ１に無理な力が作用しないようにすることが容易に可能となり、これにより発光素子１４の位置精度が低下してしまわないようにすることが一層確実に可能となる。
【０１０６】
上記実施形態およびその変形例において諸元として示した数値は一例にすぎず、これらを適宜異なる値に設定してもよいことはもちろんである。
【０１０７】
また、本願発明は、上記実施形態およびその変形例に記載された構成に限定されるものではなく、これ以外の種々の変更を加えた構成が採用可能である。
【符号の説明】
【０１０８】
１０、１１０、２１０  灯具ユニット
１２  投影レンズ
１４  発光素子
１４ａ  発光面
１６  リフレクタ
１６ａ  反射面
１６ｂ  フランジ部
１６ｃ、１６ｄ  係合孔
１６ｅ  当接部
１８  可動シェード
１８ａ  上端縁
２０  光源支持部材
２０ａ  端子部
２２、１２２、２２２  ヒートシンク
２２ａ、１２２ａ、２２２ａ  上面
２２ａ１、１２２ａ１、２２２ａ１  光源支持領域
２２ａ２  凹部
２２ａ３  上方突出面
２２ａ４  前部水平面
２２ｂ  位置決めピン
２２ｃ、２２ｄ  係合孔
２２ｅ  放熱フィン
２２ｆ  薄肉部
２２ｇ  当接部
２４  レンズホルダ
２４Ａ  ホルダ本体
２４Ｂ  アーム部
２４Ｃ  連結部
２４Ｄ  フランジ部
２４Ｄａ、２４Ｄｃ、１２２ｉ  カシメピン
２４Ｄｂ、２４Ｄｄ、１２２ｊ  位置決めピン
２６  回動ピン
２８  アクチュエータ
２８Ａ  アクチュエータ本体
２８Ｂ  本体支持部材
２８Ｂａ  フランジ部
２８Ｂａ１、２８Ｂａ２  係合孔
３０  給電アタッチメント
３２  絶縁部材
３２ａ  開口部
３２ｂ  フランジ部
３２ｃ  係合孔
３２ｄ  コネクタ部
３２ｄ１  矩形孔
３２ｄ２  凹部
３４  バスバー電極
３４ａ  端子片
３４ｂ  押え片
３４ｃ  端子ピン
４０、４２  ネジ
１００、２００  車両用灯具
１０２  ランプボディ
１０４  透光カバー
１２２ｈ、２２２ｈ  第１平面部
１２２ｉ、２２２ｉ  カシメピン
１２２ｊ、２２２ｊ  位置決めピン
１２２ｋ、２２２ｋ  第２平面部
Ａｘ  光軸
Ｆ  後側焦点
【図１】
2020184445.tif 000003
【図２】
2020184445.tif 000004
【図３】
2020184445.tif 000005
【図４】
2020184445.tif 000006
【図５】
2020184445.tif 000007
【図６】
2020184445.tif 000008
【図７】
2020184445.tif 000009
【図８】
2020184445.tif 000010
【図９】
2020184445.tif 000011
【図１０】
2020184445.tif 000012